(57)【特許請求の範囲】
【請求項１】
ネットワークを介して接続されるコンテンツ受信装置にマルチキャストによってコンテンツのライブ配信を行うコンテンツ配信装置において、
前記ライブ配信を行うためのコンテンツを予め決められた単位のデータに分割されるデータであって、当該分割されたデータそのものでコンテンツが再生可能なデータを最小有効パケットとして生成する分割部と、
前記分割部によって分割された最小有効パケットに対し、該最小有効パケットの一部に誤りがあった場合に、当該最小有効パケットを修復するためのデータである冗長データ生成して付加する冗長データ生成部と、
前記冗長データ生成部よって冗長データが付加された最小有効パケットであって、該最小有効パケットと該冗長データとを暗号化する暗号化処理部と、
前記暗号化処理部によって暗号化された最小有効パケットと冗長パケットに対し、データの開始を識別するための開始パケットと、データの終了を識別するための終了パケットを付加しブロック単位のデータを生成するパケット生成部と、
複数の通信経路を介して前記コンテンツ受信装置にデータを送信する送信部と、
前記分割部によって分割された最小有効パケットが含まれる、前記パケット生成部によって生成されたブロック単位のデータを送信する毎に前記送信部の通信経路を切り替えて送信する送信制御部と、
を有することを特徴とするコンテンツ配信装置。
【請求項２】
請求項１記載のコンテンツ配信装置に接続されるコンテンツ受信装置であって、
前記コンテンツ配信装置に複数の通信経路を介して接続され、前記接続される通信経路のうちの各通信経路を捕捉し、各通信経路を介して送信される分割されたデータを受信する受信部と、
前記受信部が分割されたデータを受信した順に、前記分割されたデータを順次再生する再生部と、
前記再生部が再生するデータを出力する出力部と、
を有することを特徴とするコンテンツ受信装置。
【請求項３】
ネットワークを介して接続されるコンテンツ受信装置にマルチキャストによってコンテンツのライブ配信を行うコンテンツ配信装置におけるコンテンツ配信方法であって、
前記ライブ配信を行うためのコンテンツを予め決められた単位のデータに分割されるデータであって、当該分割されたデータそのものでコンテンツが再生可能なデータを最小有効パケットとして生成し、
生成された最小有効パケットに対し、該最小有効パケットの一部に誤りがあった場合に、当該最小有効パケットを修復するためのデータである冗長データ生成して付加し、
冗長データが付加された最小有効パケットであって、該最小有効パケットと該冗長データとを暗号化し、
暗号化された最小有効パケットと冗長パケットに対し、データの開始を識別するための開始パケットと、データの終了を識別するための終了パケットを付加しブロック単位のデータを生成し、
生成された最小有効パケットが含まれる、前記パケット生成部によって生成されたブロック単位のデータを送信する毎に通信経路を切り替えて前記コンテンツ受信装置にデータを送信する
ことを特徴とするコンテンツ配信方法。
【請求項４】
請求項３記載のコンテンツ配信方法におけるコンテンツ配信装置に接続されるコンテンツ受信装置に用いられるコンテンツ受信方法であって、
前記コンテンツ配信装置に複数の通信経路を介して接続され、前記接続される通信経路のうちの各通信経路を捕捉し、各通信経路を介して送信される分割されたデータを受信し、
前記分割されたデータを受信した順に、前記分割されたデータを順次再生し、
再生するデータを出力する
ことを特徴とするコンテンツ受信方法。
【請求項５】
ネットワークを介して接続されるコンテンツ受信装置にマルチキャストによってコンテンツのライブ配信を行うコンテンツ配信装置におけるコンテンツ配信プログラムであって、
前記ライブ配信を行うためのコンテンツを予め決められた単位のデータに分割されるデータであって、当該分割されたデータそのものでコンテンツが再生可能なデータを最小有効パケットとして生成するステップと、
生成された最小有効パケットに対し、該最小有効パケットの一部に誤りがあった場合に、当該最小有効パケットを修復するためのデータである冗長データ生成して付加するステップと、
冗長データが付加された最小有効パケットであって、該最小有効パケットと該冗長データとを暗号化するステップと、
暗号化された最小有効パケットと冗長パケットに対し、データの開始を識別するための開始パケットと、データの終了を識別するための終了パケットを付加しブロック単位のデータを生成するステップと、
生成された最小有効パケットが含まれる、前記パケット生成部によって生成されたブロック単位のデータを送信する毎に通信経路を切り替えて前記コンテンツ受信装置にデータを送信するステップと
をコンピュータに実行させるためのコンテンツ配信プログラム。
【請求項６】
請求項５記載のコンテンツ配信プログラムにおけるコンテンツ配信装置に接続されるコンテンツ受信装置に用いられるコンテンツ受信プログラムであって、
前記コンテンツ配信装置に複数の通信経路を介して接続され、前記接続される通信経路のうちの各通信経路を捕捉し、各通信経路を介して送信される分割されたデータを受信するステップと、
前記分割されたデータを受信した順に、前記分割されたデータを順次再生するステップと、
再生するデータを出力するステップと、
をコンピュータに実行させるためのコンテンツ受信プログラム。
【請求項７】
ネットワークを介して接続されるコンテンツ受信装置にマルチキャストによってコンテンツのライブ配信を行うコンテンツ配信装置におけるコンテンツ配信プログラムを記録した記録媒体であって、
前記ライブ配信を行うためのコンテンツを予め決められた単位のデータに分割されるデータであって、当該分割されたデータそのものでコンテンツが再生可能なデータを最小有効パケットとして生成するステップと、
生成された最小有効パケットに対し、該最小有効パケットの一部に誤りがあった場合に、当該最小有効パケットを修復するためのデータである冗長データ生成して付加するステップと、
冗長データが付加された最小有効パケットであって、該最小有効パケットと該冗長データとを暗号化するステップと、
暗号化された最小有効パケットと冗長パケットに対し、データの開始を識別するための開始パケットと、データの終了を識別するための終了パケットを付加しブロック単位のデータを生成するステップと、
生成された最小有効パケットが含まれる、前記パケット生成部によって生成されたブロック単位のデータを送信する毎に通信経路を切り替えて前記コンテンツ受信装置にデータを送信するステップと
を記録したコンピュータ読み取り可能な記録媒体。
【請求項８】
請求項７記載のコンテンツ配信プログラムにおけるコンテンツ配信装置に接続されるコンテンツ受信装置に用いられるコンテンツ受信プログラムを記録した記録媒体であって、
前記コンテンツ配信装置に複数の通信経路を介して接続され、前記接続される通信経路のうちの各通信経路を捕捉し、各通信経路を介して送信される分割されたデータを受信するステップと、
前記分割されたデータを受信した順に、前記分割されたデータを順次再生するステップと、
再生するデータを出力するステップと、
を記録したコンピュータ読み取り可能な記録媒体。
【発明の詳細な説明】
【０００１】
【発明の属する技術分野】
この発明は、ライブ配信のコンテンツを所定の単位毎に分割して配信するコンテンツ配信装置、所定の単位毎に分割されたライブ配信のコンテンツを再生するコンテンツ受信装置に関するものである。
【０００２】
【従来の技術】
従来から、ネットワークを介してサーバから端末にマルチキャストによってストリーミングの配信が行われている。このストリーミング配信において、配信するコンテンツの著作権管理を施すためには、コンテンツを暗号化する必要があり、また、マルチキャストを使った場合に信頼性の向上を図るため冗長なパケットを送る必要がある。この場合、ストリーミング配信のように、配信の最初から全てのコンテンツのサイズ（容量）が把握できる場合は、暗号化処理や冗長化処理の実現が可能である。
【０００３】
【発明が解決しようとする課題】
しかしながら、上述した従来技術によれば、ストリーミング配信は、サーバ内に予めコンテンツが全て記憶されているので、コンテンツの容量が予め把握でき、これにより暗号化処理、冗長化処理を行うことが可能であるが、ライブ配信には利用することができない。すなわち、生放送番組などのライブ配信では、カメラで撮影しながら放送（コンテンツの配信）をするために、コンテンツを配信する以前に予め全てのコンテンツをサーバ内に受信しておくことができないので、コンテンツの容量が把握できず、従って、上述した暗号化処理や冗長化処理を行うことが困難であった。
しかし、ＤＲＭ（Ｄｉｇｉｔａｌ  ｒｉｇｈｔｓ  ｍａｎａｇｅｍｅｎｔ）のような著作権管理を施したライブ配信の要求は高く、暗号化したストリーミング配信の延長として、暗号化したライブ配信を実現できないかという要求は高まっている。
【０００４】
本発明は、このような事情に鑑みてなされたもので、その目的は、ライブ配信を行う場合においても、所定の単位毎にデータを送信することができるコンテンツ配信装置を提供することにある。
また、本発明は、所定の単位毎に分割されたライブ配信におけるコンテンツのデータを受信して再生することができるコンテンツ受信装置を提供することにある。
【０００５】
【課題を解決するための手段】
上記目的を達成するために、本発明は、ネットワークを介して接続されるコンテンツ受信装置にマルチキャストによってコンテンツのライブ配信を行うコンテンツ配信装置において、前記ライブ配信を行うためのコンテンツを予め決められた単位のデータに分割されるデータであって、当該分割されたデータそのものでコンテンツが再生可能なデータを最小有効パケットとして生成する分割部と、前記分割部によって分割された最小有効パケットに対し、該最小有効パケットの一部に誤りがあった場合に、当該最小有効パケットを修復するためのデータである冗長データ生成して付加する冗長データ生成部と、前記冗長データ生成部よって冗長データが付加された最小有効パケットであって、該最小有効パケットと該冗長データとを暗号化する暗号化処理部と、前記暗号化処理部によって暗号化された最小有効パケットと冗長パケットに対し、データの開始を識別するための開始パケットと、データの終了を識別するための終了パケットを付加しブロック単位のデータを生成するパケット生成部と、複数の通信経路を介して前記コンテンツ受信装置にデータを送信する送信部と、前記分割部によって分割された最小有効パケットが含まれる、前記パケット生成部によって生成されたブロック単位のデータを送信する毎に前記送信部の通信経路を切り替えて送信する送信制御部と、を有することを特徴とする。
【０００８】
また、本発明は、請求項１記載のコンテンツ配信装置に接続されるコンテンツ受信装置であって、前記コンテンツ配信装置に複数の通信経路を介して接続され、前記接続される通信経路のうちの各通信経路を捕捉し、各通信経路を介して送信される分割されたデータを受信する受信部と、前記受信部が分割されたデータを受信した順に、前記分割されたデータを順次再生する再生部と、前記再生部が再生するデータを出力する出力部と、を有することを特徴とする。
【０００９】
また、本発明は、ネットワークを介して接続されるコンテンツ受信装置にマルチキャストによってコンテンツのライブ配信を行うコンテンツ配信装置におけるコンテンツ配信方法であって、前記ライブ配信を行うためのコンテンツを予め決められた単位のデータに分割されるデータであって、当該分割されたデータそのものでコンテンツが再生可能なデータを最小有効パケットとして生成し、生成された最小有効パケットに対し、該最小有効パケットの一部に誤りがあった場合に、当該最小有効パケットを修復するためのデータである冗長データ生成して付加し、冗長データが付加された最小有効パケットであって、該最小有効パケットと該冗長データとを暗号化し、暗号化された最小有効パケットと冗長パケットに対し、データの開始を識別するための開始パケットと、データの終了を識別するための終了パケットを付加しブロック単位のデータを生成し、生成された最小有効パケットが含まれる、前記パケット生成部によって生成されたブロック単位のデータを送信する毎に通信経路を切り替えて前記コンテンツ受信装置にデータを送信することを特徴とする。
【００１０】
また、本発明は、コンテンツ配信装置から送信されるコンテンツを再生するコンテンツ受信装置におけるコンテンツ再生方法であって、前記コンテンツ配信装置に複数の通信経路を介して接続し、前記接続される通信経路のうちの各通信経路を捕捉し、捕捉した各通信経路を介して送信される分割されたデータを受信し、前記データを受信した順に、分割されたデータを順次再生することを特徴とする。
【００１１】
また、本発明は、ネットワークを介して接続されるコンテンツ受信装置にマルチキャストによってコンテンツのライブ配信を行うコンテンツ配信装置におけるコンテンツ配信プログラムであって、前記ライブ配信を行うためのコンテンツを予め決められた単位のデータに分割されるデータであって、当該分割されたデータそのものでコンテンツが再生可能なデータを最小有効パケットとして生成するステップと、生成された最小有効パケットに対し、該最小有効パケットの一部に誤りがあった場合に、当該最小有効パケットを修復するためのデータである冗長データ生成して付加するステップと、冗長データが付加された最小有効パケットであって、該最小有効パケットと該冗長データとを暗号化するステップと、暗号化された最小有効パケットと冗長パケットに対し、データの開始を識別するための開始パケットと、データの終了を識別するための終了パケットを付加しブロック単位のデータを生成するステップと、生成された最小有効パケットが含まれる、前記パケット生成部によって生成されたブロック単位のデータを送信する毎に通信経路を切り替えて前記コンテンツ受信装置にデータを送信するステップとをコンピュータに実行させることを特徴とする。
【００１２】
また、本発明は、コンテンツ配信装置から送信されるコンテンツを再生するコンテンツ受信装置におけるコンテンツ再生プログラムであって、前記コンテンツ配信装置に複数の通信経路を介して接続するステップと、前記接続される通信経路のうちの各通信経路を捕捉するステップと、捕捉した各通信経路を介して送信される分割されたデータを受信するステップと、前記データを受信した順に、分割されたデータを順次再生するステップと、をコンピュータに実行させることを特徴とする。
【００１３】
また、本発明は、ネットワークを介して接続されるコンテンツ受信装置にマルチキャストによってコンテンツのライブ配信を行うコンテンツ配信装置におけるコンテンツ配信プログラムを記録した記録媒体であって、前記ライブ配信を行うためのコンテンツを予め決められた単位のデータに分割されるデータであって、当該分割されたデータそのものでコンテンツが再生可能なデータを最小有効パケットとして生成するステップと、生成された最小有効パケットに対し、該最小有効パケットの一部に誤りがあった場合に、当該最小有効パケットを修復するためのデータである冗長データ生成して付加するステップと、冗長データが付加された最小有効パケットであって、該最小有効パケットと該冗長データとを暗号化するステップと、暗号化された最小有効パケットと冗長パケットに対し、データの開始を識別するための開始パケットと、データの終了を識別するための終了パケットを付加しブロック単位のデータを生成するステップと、生成された最小有効パケットが含まれる、前記パケット生成部によって生成されたブロック単位のデータを送信する毎に通信経路を切り替えて前記コンテンツ受信装置にデータを送信するステップとを記録したことを特徴とする。
【００１４】
また、本発明は、コンテンツ配信装置から送信されるコンテンツを再生するコンテンツ受信装置におけるコンテンツ再生プログラムを記録した記録媒体であって、前記コンテンツ配信装置に複数の通信経路を介して接続するステップと、前記接続される通信経路のうちの各通信経路を捕捉するステップと、捕捉した各通信経路を介して送信される分割されたデータを受信するステップと、前記データを受信した順に、分割されたデータを順次再生するステップと、をコンピュータに実行させるためのコンテンツ受信プログラムを記録したことを特徴とする。
【００１５】
【発明の実施の形態】
以下、本発明の一実施形態によるコンテンツ配信装置、コンテンツ受信装置を図面を参照して説明する。図１は、この発明の一実施形態によるコンテンツ配信装置とコンテンツ受信装置とを適用したコンテンツ配信システムの構成を示す概略ブロック図である。
この図において、コンテンツ配信装置１は、カメラ３によって撮像されエンコーダ４によってエンコードされた画像データを受信し、受信した画像データをコンテンツとしてネットワーク５を介してコンテンツ受信装置２に送信する。ここで、コンテンツ記憶部１２に記憶されるコンテンツは、例えば、ニュースや音楽番組、クイズ番組などのライブ配信（生放送番組）である。
【００１６】
次に、コンテンツ配信装置１について、図２を用いてさらに説明する。図２は、コンテンツ配信装置１の構成を示す概略ブロック図である。この図において、分割部１１は、エンコーダ４から出力される画像データを予め決められた単位のデータに分割する。この分割されたデータは、図３に示すように、画像データ（図３（ａ））をチャンネル数に応じて順次分割する（図３（ｂ））。また、分割部１１は、分割したデータを最小有効パケットとして冗長データ生成部１２に出力する。この最小有効パケットは、その最小有効パケットから画像、音声などのコンテンツが再生可能なデータである。また、ここでいう予め決められた単位とは、画像データの１０秒や３０秒などの予め決められた時間毎、あるいは、画像データを所定のデータ容量毎のことである。また、チャンネル数は、コンテンツ配信装置１の管理者によって予め指示される。
【００１７】
冗長データ生成部１２は、分割部１２によって分割された最小有効パケットに冗長パケットを付加する。この冗長パケットは、最小有効パケットの一部に誤り等があった場合に、最小有効パケットを修復するためのデータである。暗号化処理部１３は、最小有効パケットと冗長パケットとを暗号化する。パケット生成部１４は、暗号化された最小有効パケットと冗長パケットとに対し、データの開始を識別するための開始パケットと、データの終了を識別するための終了パケットを付加し、ブロック単位のデータを生成する。
【００１８】
送信制御部１５は、分割部１１によって分割されたデータが含まれる、パケット生成部１４によって生成されたブロック単位のデータを送信する毎に送信部１６の通信経路を所定の順序に基づいて切り替えて送信する。この所定の順序は、例えば、チャンネル１、チャンネル２、チャンネル３、チャンネル１、…のように、一意に決められた順序で繰り返される。
【００１９】
送信部１６は、複数の通信経路を介して前記コンテンツ受信装置にデータをマルチキャストで送信する。ここでいう通信経路は、例えば、上述したチャンネルや、ポートである。なお、この通信経路は、物理的に分割されていてもよく、また、論理的に分割されていてもよい。
【００２０】
この図１に示すコンテンツ配信装置１の送信部１６から送信されるデータを図４（ａ）に示す。この図に示すように、画像データは、分割部１１によって最小有効パケットとして分割され、冗長パケットと開始パケットと終了パケットが付加され、１つのブロックのデータとして、チャンネル１〜チャンネル３が順次切り替えられて送信される。
【００２１】
次に、コンテンツ受信装置２について図５を用いて説明する。図５は、コンテンツ受信装置２の構成を示す概略ブロック図である。この図において、受信部２１は、コンテンツ配信装置１に複数の通信経路を介して接続され、この接続される通信経路の各通信経路を捕捉し、各通信経路を介して送信される分割されたデータを受信する。例えば、受信部２１は、図４（ａ）の各チャンネル（チャンネル１〜３）を常に監視し、開始パケットから終了パケットまでのデータを受信し、受信したデータを記憶部２２に記憶する。この監視される複数のチャンネルは、コンテンツの選択ボタンに予め関連づけされており、閲覧したいコンテンツの選択ボタンがキーボードやマウスなどの入力装置を介してユーザによってクリックされた場合に、この選択ボタンに予め関連づけされた複数のチャンネルが受信部２１によって捕捉される。
【００２２】
記憶部２２は、受信部２１が受信したデータをチャンネル毎に所定の記憶領域内に一時記憶する。この記憶部２２は、例えば、バッファとして利用される。復号部２３は、記憶部２２に記憶されたデータの復号を行う。この復号部２３には、コンテンツ配信装置１の暗号化処理部１３によって暗号化されたデータを復号するための情報が予め記憶されており、この復号するための情報を利用して復号を行う。なお、この復号部２３は、コンテンツ配信装置１から送信されたデータを復号することができるものであれは、予め記憶された復号するための情報を利用して復号する方法以外に、他の復号方法が適用されてもよい。
【００２３】
再生部２４は、受信部２１が分割されたデータを受信した順に、分割されたデータを順次再生する。すなわち、図４（ｂ）に示すように、チャンネル１、チャンネル２、チャンネル３、チャンネル１、…のように、データを受信した順に最小有効パケットを連結して再生データを構成し、再生する。このとき再生部２４は、最小有効パケットにデータの誤りがある場合に、最小有効パケットに付加された冗長パケットを利用してデータを修復し、最小有効パケットを生成する。
【００２４】
出力部２５は、再生部２４が再生するデータをＣＲＴ（Ｃａｔｈｏｄｅ  Ｒａｙ  Ｔｕｂｅ）や液晶表示装置、スピーカなどによって画像や音声を出力する。この出力部２５によって出力されるデータは、図４（ｂ）に示される最小有効パケットが連結されて構成される再生データである。これにより、コンテンツ受信装置２のユーザは、ライブ配信のコンテンツ（ニュースや音楽番組、クイズ番組）を閲覧することができる。
【００２５】
以上説明したように、ライブ配信においては、コンテンツを分割し、複数のチャンネルを順次切り替えて送信するようにしたので、必要に応じて、分割されたデータに対し暗号化処理や冗長化処理を行うことが可能であり、これにより、コンテンツの容量を予め把握できないライブ配信においても、暗号化処理や冗長化処理を行うことが可能であり、これにより、ライブ配信のコンテンツにＤＲＭ処理を施して著作権管理の実施や、予めコンテンツを購入した会員のみに閲覧可能なコンテンツの配信などを行うことができる。また、ライブ配信にも冗長化処理を行うことが可能であるので、ライブ配信においても、パケットの再送処理を行うことなく、データの誤りによるライブの映像や音声の劣化を低減させることが可能である。
【００２６】
また、図２における分割部１１、冗長データ生成部１２、暗号化処理部１３、パケット生成部１４、送信制御部１５、配信部１６の機能を実現するためのプログラムあるいは、図５における受信部２１、復号部２３、再生部２４、出力部２５の機能を実現するためのプログラムをコンピュータ読み取り可能な記録媒体に記録して、この記録媒体に記録されたプログラムをコンピュータシステムに読み込ませ、実行することによりコンテンツの配信処理やコンテンツの受信・再生処理を行ってもよい。なお、ここでいう「コンピュータシステム」とは、ＯＳや周辺機器等のハードウェアを含むものとする。
【００２７】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００２８】
以上、この発明の実施形態を図面を参照して詳述してきたが、具体的な構成はこの実施形態に限られるものではなく、この発明の要旨を逸脱しない範囲の設計等も含まれる。
【００２９】
【発明の効果】
以上説明したように、この発明によれば、ライブ配信におけるコンテンツを分割し、複数の通信経路を切り替えて送信するようにしたので、ライブ配信を行う場合においても、所定の単位毎にデータを送信することができ、これにより、必要に応じて、分割されたデータに対し暗号化処理や冗長化処理を行うことが可能となる。従って、コンテンツの容量を予め把握できないライブ配信においても、ライブ配信のコンテンツにＤＲＭ処理を施して著作権管理の実施、会員のみに閲覧可能なコンテンツの配信を行うことができる。また、ライブ配信にも冗長化処理を行うことが可能であるので、ライブ配信においても、パケットの再送処理を行うことなく、データの誤りによるライブの映像や音声の劣化を低減させることが可能である。
【００３０】
また、本発明によれば、コンテンツ配信装置に対して接続される複数の通信経路のうち各通信経路を捕捉し、これらの通信経路を介して送信されるライブ配信におけるコンテンツの分割されたデータを受信し、この受信したデータを受信した順に、分割されたデータを順次再生するようにしたので、所定の単位毎に分割されたライブ配信におけるコンテンツを再生することができる効果が得られる。
【図面の簡単な説明】
【図１】  この発明の一実施形態によるコンテンツ配信装置とコンテンツ受信装置とを適用したコンテンツ配信システムの構成を示す概略ブロック図である。
【図２】  コンテンツ配信装置１の構成を示す概略ブロック図である。
【図３】  分割部１１が行うデータの分割について説明するための図面である。
【図４】  分割されたデータの送信及び再生について説明するための図面である。
【図５】  コンテンツ受信装置２の構成を示す概略ブロック図である。
【符号の説明】
１  コンテンツ配信装置                    ２  コンテンツ受信装置
１１  分割部                              １２  冗長データ生成部
１３  暗号化処理部                        １４  パケット生成部
１５  送信制御部                          １６  配信部
２１  受信部                              ２２  記憶部
２３  復号部                              ２４  再生部
２５  出力部
【図１】
0003670243.tif 000002
【図２】
0003670243.tif 000003
【図３】
0003670243.tif 000004
【図４】
0003670243.tif 000005
【図５】
0003670243.tif 000006